(57)【要約】【課題】  大型な備蓄スペースを設けなくても毛布等を備蓄することを可能とする。【解決手段】  印刷物の規格サイズのほぼＡ４からほぼＢ５までの長辺寸法と、ほぼＡ４からほぼＢ５までの短辺寸法とを有するように毛布２を折り畳み、折り畳まれた毛布２を袋の内部に収容し、その内部を排気して密閉真空包装体４を形成し、この密閉真空包装体４をカバー６内に収容している。【選択図】  図１
2014231383.tif 000002
【特許請求の範囲】
【請求項１】
印刷物の規格サイズのほぼＡ４からほぼＢ５までの長辺寸法と、前記ほぼＡ４からほぼＢ５までの短辺寸法とを有するように折り畳まれた軟質性の防風・防寒用シートと、
前記折り畳まれたシートが内部に収容され、その内部が排気され、前記折り畳まれたシートに密着している密閉真空包装体と、
この包装体が接触して内部に収容されているカバーとを、
有するシート収容体。
【請求項２】
請求項１記載のシート収容体において、前記カバーは、前記収容体に接する段ボール製の枠状体と、この枠状体を内部に収容する段ボール製の箱状体とからなり、前記枠状体と前記箱状体とは、段ボールの波の方向が直交するシート収容体。
【請求項３】
請求項２記載のシート収容体において、前記シートは、折り畳み前に少なくとも人体の首よりも下の部分を包むことができる大きさの高さ方向の辺と、この堅さ方向の辺よりも短い幅方向の辺とを、有する長方形状であり、この長方形状を前記高さ方向の辺のほぼ真ん中で前記高さ方向に直交する折れ線で２つ折りにし、この２つ折りにした状態で、前記高さ方向の辺が２９７ｍｍから２５７ｍｍの間の１つの長さとなるように、前記高さ方向の辺に直交して互いに第１の間隔を隔てて位置する複数の第１の折れ線で折り返し、この折り返した状態で、前記幅方向の辺が２１０ｍｍ乃至１８２ｍｍの間の１つの長さとなるように、前記幅方向の辺に直交する互いに第２の間隔を隔てて位置する複数の第２の折れ線で折り返されているシート収容体。
【請求項４】
請求項３記載のシート収容体において、前記密閉真空包装体は、内部を排気後に排気口が密閉されているシート収容体。
【発明の詳細な説明】
【技術分野】
【０００１】
本発明は、例えば毛布やエマージェンシーブラケットのような防風・防寒用シートを圧縮して収容したものに関する。
【背景技術】
【０００２】
毛布を圧縮して収納する技術としては、例えば特許文献１に開示されているようなものがある。特許文献１の技術によれば、圧縮保存袋に折り畳んだ毛布を収納し、圧縮保存袋が備える吸引口に電気掃除機の吸引ノズルを接続し、圧縮保存袋内を吸引して毛布を圧縮する。吸引口には逆止弁が設けられているので、圧縮された圧縮保存袋内には空気が流入しにくい。
【先行技術文献】
【特許文献】
【０００３】
【特許文献１】特開平８−１１９４２号公報
【発明の概要】
【発明が解決しようとする課題】
【０００４】
特許文献１の技術によれば、毛布は折り畳まれて圧縮保存袋内に収容されているが、圧縮保存袋の大きさや折り畳まれた毛布の大きさについての言及は無い。ところで、圧縮された毛布やエマージェンシーブラケットは、いわゆる防災グッズとして会社や個人住宅に備えておくことが望ましい。特許文献１の技術によって圧縮された毛布を防災グッズとして備蓄しようとした場合、備蓄専用のスペースが必要になり、備蓄の促進の障害となっていた。また、逆止弁を設けていても、徐々に圧縮保存袋内に空気が侵入し、長年に亘って備蓄していると、その体積が増加するので、増加を見込んで備蓄する必要があり、益々備蓄の促進の障害となっていた。
【０００５】
本発明は、大型な備蓄スペースを設けなくても備蓄することが可能なシート収容体を提供することを目的とする。
【課題を解決するための手段】
【０００６】
本発明の一態様のシート収容体は、軟質性の防風・防寒用シートを有している。このシートは、印刷物の規格サイズのほぼＡ４からほぼＢ５までの長辺寸法と、前記ほぼＡ４からほぼＢ５までの短辺寸法とを有するように折り畳まれたものである。このシートとしては、例えば毛布やエマージェンシーブラケット等を使用することができる。前記折り畳まれたシートが密閉真空包装体の内部に収容されている。真空包装体は、その内部が排気されており、折り畳まれたシートに密着している。この包装体がカバーの内部に接触して収容されている。
【０００７】
このように構成されたシート収容体では、折り畳まれたシートがほぼＡ４からほぼＢ５までのサイズであり、これに真空包装体が密着しているので、厚さも比較的に薄く、カバーを取り付けても、大きなサイズとならない。従って、例えば、会社等において本棚や机の中に、従業員が個人個人で備蓄しても、大きな備蓄スペースを必要としない。家庭においても同様である。
【０００８】
更に、前記カバーは、前記真空包装体に接する段ボール製の枠状体と、この枠状体を内部に収容する段ボール製の箱状体とから構成することができる。この場合、前記枠状体と前記箱状体とは、段ボールの波の方向が直交するように構成されている。
【０００９】
このように構成すると、たとえ真空包装体内に空気が侵入し始めて真空包装体が膨張したとしても、カバーの涌状態と箱状体との段ボールの波の方向が直交するので、真空包装体の膨張を抑制することができ、嵩張ることを防止できる。
【００１０】
更に、前記シートは、折り畳み前に少なくとも人体の首よりも下の部分を包むことができる大きさの高さ方向の辺と、この堅さ方向の辺よりも短い幅方向の辺とを、有する長方形状のものとすることができる。この場合、この長方形状を前記高さ方向の辺のほぼ真ん中で前記高さ方向に直交する折れ線で２つ折りにし、この２つ折りにした状態で、前記高さ方向の辺が２９７ｍｍから２５７ｍｍの間の１つの長さとなるように、前記高さ方向の辺に直交して互いに第１の間隔を隔てて位置する複数の第１の折れ線で折り返し、この折り返した状態で、前記幅方向の辺が２１０ｍｍ乃至１８２ｍｍの間の１つの長さとなるように、前記幅方向の辺に直交する互いに第２の間隔を隔てて位置する複数の第２の折れ線で折り返されている。このように構成すると、大きなシートをほぼＡ４乃至ほぼＢ５のサイズに折り畳むことができる。
【００１１】
更に、前記密閉真空包装体は、内部を排気後に排気口が密閉されているものとすることができる。このように構成すると、逆止弁を設ける必要が無く、逆止弁から空気が流入することを防止でき、真空包装体が膨張しにくくすることができる。
【発明の効果】
【００１２】
以上のように、本発明によれば、防風・防寒用シートをほぼＡ４乃至ほぼＢ５のサイズに嵩張らすことなく真空包装体内に収容することができるので、このシート収容体を備蓄する場合に、大きなスペースを必要とせず、机の引き出しの中や本棚等の身近にあるわずかのスペースに収容可能である。
【図面の簡単な説明】
【００１３】
【図１】本発明の１実施形態のシート収容体の分解斜視図である。
【図２】図１のシート収容体において使用する毛布の平面図である。
【図３】図２の毛布を図２に示す折り畳み線に沿って折り畳んだ状態の平面図である。
【図４】図３の毛布を図３に示す仮想折り畳み線に沿って折り畳んだ状態の側面図である。
【図５】図３の毛布を図３に示す仮想折り畳み線に沿って折り畳んだ状態の側面図である。
【図６】図５の毛布を図５に示す仮想折り畳み線に沿って折り畳んだ状態の略側面図である。
【図７】図５の毛布を図５に示す仮想折り畳み線に沿って折り畳んだ状態の平面図である。
【図８】図７の毛布を袋に入れて排気した密閉真空包装体の平面図及び側面図である。
【図９】図１に示すシート収容体の縦断図及び側面図である。
【発明を実施するための形態】
【００１４】
本発明の１実施形態のシート収容体は、図１に示すように、防風・防寒用シート、例えば毛布２を、折り畳んで真空包装して、密閉真空包装体４を形成し、この密閉真空包装体４を、カバー６内に収容したものである。
【００１５】
毛布２は、例えば図２に示すように、長辺８の長辺寸法が２００ｃｍで、短辺１０の短辺寸法が１２０ｃｍの長方形状のもので、長辺８の中央で、長辺８に垂直な仮想折り畳み線１２に沿って図３に示すように２つに折り畳まれている。
【００１６】
この２つに折り畳まれた毛布２の長辺８に沿って例えばＡ４サイズの長い辺の長さ２９７ｍｍよりも若干短い長さ、例えば２５０ｍｍごとに仮想される長辺８に対して垂直な４本の仮想折り畳み線１４、１６、１８、２０に沿って折り畳まれている。なお、仮想折り畳み線１４、１８では谷折りが行われ、仮想折り畳み線１６、１８では山折りが行われている。その結果、図３及び図４に示すように、長辺８が２５０ｍｍになるように折り畳まれる。即ち、短い辺の長さが２５０ｍｍで、長い辺が２００ｃｍに毛布２は折り畳まれる。
【００１７】
この状態で、図５に示すようにＡ４サイズの短い辺の長さ２１０ｍｍよりも若干短い長さ、例えば２００ｍｍごとに仮想された短辺１０に対して垂直な５本の仮想折り畳み線２２、２４、２６、２８、３０に沿って毛布２が折り畳まれる。なお、仮想折り畳み線２２、２６、３０で山折りが行われ、仮想折り畳み線２４、２８で谷折りが行われる。その結果、図６及び図７に示すように、毛布２は、長い辺が２５０ｍｍで、短い辺が２００ｍｍのＡ４サイズよりも若干小さいサイズに折り畳まれる。
【００１８】
このように折り畳まれた毛布２は、図６では簡略化して示しているので、示されていないが、厚さの厚いかなり嵩張ったものとなっており、また、自然に広がろうとする。そこで、図８に示すように、折り畳まれた毛布２の長さ寸法及び幅寸法（２５０ｍｍ＊２００ｍｍ）よりも若干大きい長さ寸法及び幅寸法を持つ例えば透明な袋内に、折り畳まれた毛布２を収容し、その袋内の空気を排気して真空として、密閉真空包装体４を構成する。これによって、折り畳まれた毛布２は圧縮され、厚さは、元の厚さよりもかなり小さくなり、また袋に密着している。なお、袋には、排気するための排気口が設けられているが、この排気口は閉じられており、この排気口から空気が密閉真空包装体４内に流入しにくくされている。
【００１９】
この密閉真空包装体４は、カバー６に収容される。カバー６は、枠状体３２と、箱状体３４とからなる。枠状体３２も箱状体３４も、共に段ボール製である。枠状体３２は、図１に示すように内部が中空の直方体の両端面を除去した形状に形成され、密閉真空包装体４を内部に収容し、その内面に密閉真空包装体４の全域が接触する。
【００２０】
内部に密閉真空包装体４を収容した枠状体３２が、箱状体３４の内部に収容されている。箱状体３４は、内部に枠状体３２を接触させた状体で収容可能な直方体状で、その一方の端面から枠状体３２を出し入れできるように開口されている。その開口を閉じるために、開口の端縁にフラップ３６、３６が、一方の長辺に蓋３８が形成されている。
【００２１】
枠状体３２と箱状体３４とを構成している段ボールの波板の方向は、直交するように構成されている。例えば、図９（ａ）、（ｂ）に示すように、枠状体３２の波板の配列方向が図８（ａ）に示す密閉真空包装体４の長さ方向に沿うものであると、箱状体３４の波板の配列方向は、図８（ａ）に示す密閉真空包装体４の幅方向に沿うものである。このように構成すると、密閉真空包装体４内に徐々に空気が侵入して、密閉真空包装体４が膨張したとしても、枠状体３２の波板と箱状体３４の波板とが直交して、両者が格子状に配列されているので、密閉真空包装体４の膨張を抑えることができ、箱状体３４が膨らむことを防止できる。
【００２２】
上記の実施形態では、毛布２を使用したが、これに限ったものではなく、例えばエマージェンシーブラケット等の防風・防寒用のシートを使用することもできる。また、毛布２は、概略Ａ４サイズに折り畳んだが、概略Ｂ５サイズにも折り畳むこともできる。また、枠状体３２と箱状体３４との波板の配列方向は、上記の実施形態では、枠状体３２の波板の配列方向を密閉真空包装体４の長さ方向に沿うものとし、箱状体３４の波板の配列方向を密閉シンク包袋４の幅方向に沿うものとしたが、逆に枠状体３２の波板の配列方向を密閉真空包装体４の幅方向に沿うものとし、箱状体３４の波板の配列方向を密閉真空包装体４の長さ方向に沿うものとすることもできる。
【符号の説明】
【００２３】
２  毛布
４  密閉真空包装体
６  カバー
【図１】
2014231383.tif 000003
【図２】
2014231383.tif 000004
【図３】
2014231383.tif 000005
【図４】
2014231383.tif 000006
【図５】
2014231383.tif 000007
【図６】
2014231383.tif 000008
【図７】
2014231383.tif 000009
【図８】
2014231383.tif 000010
【図９】
2014231383.tif 000011
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
印刷物の規格サイズのほぼＡ４からほぼＢ５までの長辺寸法と、前記ほぼＡ４からほぼＢ５までの短辺寸法とを有するように折り畳まれた軟質性の防風・防寒用シートと、
前記折り畳まれたシートが内部に収容され、その内部が排気され、前記折り畳まれたシートに密着している密閉真空包装体とを、
有するシート収容体。
【請求項２】
請求項１記載のシート収容体において、前記包装体が接触して内部に収容されているカバーを有し、前記カバーは、前記収容体に接する段ボール製の枠状体と、この枠状体を内部に収容する段ボール製の箱状体とからなり、前記枠状体と前記箱状体とは、段ボールの波の方向が直交するシート収容体。
【請求項３】
請求項２記載のシート収容体において、前記シートは、折り畳み前に少なくとも人体の首よりも下の部分を包むことができる大きさの高さ方向の辺と、この堅さ方向の辺よりも短い幅方向の辺とを、有する長方形状であり、この長方形状を前記高さ方向の辺のほぼ真ん中で前記高さ方向に直交する折れ線で２つ折りにし、この２つ折りにした状態で、前記高さ方向の辺が２９７ｍｍから２５７ｍｍの間の１つの長さとなるように、前記高さ方向の辺に直交して互いに第１の間隔を隔てて位置する複数の第１の折れ線で折り返し、この折り返した状態で、前記幅方向の辺が２１０ｍｍ乃至１８２ｍｍの間の１つの長さとなるように、前記幅方向の辺に直交する互いに第２の間隔を隔てて位置する複数の第２の折れ線で折り返されているシート収容体。
【請求項４】
請求項３記載のシート収容体において、前記密閉真空包装体は、内部を排気後に排気口が密閉されているシート収容体。
【手続補正２】
【補正対象書類名】明細書
【補正対象項目名】０００６
【補正方法】変更
【補正の内容】
【０００６】
本発明の一態様のシート収容体は、軟質性の防風・防寒用シートを有している。このシートは、印刷物の規格サイズのほぼＡ４からほぼＢ５までの長辺寸法と、前記ほぼＡ４からほぼＢ５までの短辺寸法とを有するように折り畳まれたものである。このシートとしては、例えば毛布やエマージェンシーブラケット等を使用することができる。前記折り畳まれたシートが密閉真空包装体の内部に収容されている。真空包装体は、その内部が排気されており、折り畳まれたシートに密着している。
【手続補正３】
【補正対象書類名】明細書
【補正対象項目名】０００７
【補正方法】変更
【補正の内容】
【０００７】
このように構成されたシート収容体では、折り畳まれたシートがほぼＡ４からほぼＢ５までのサイズであり、これに真空包装体が密着しているので、厚さも比較的に薄く、例えばカバーを取り付けても、大きなサイズとならない。従って、例えば、会社等において本棚や机の中に、従業員が個人個人で備蓄しても、大きな備蓄スペースを必要としない。家庭においても同様である。
【手続補正４】
【補正対象書類名】明細書
【補正対象項目名】０００８
【補正方法】変更
【補正の内容】
【０００８】
更に、真空包装体が内部で接触するカバーは、前記真空包装体に接する段ボール製の枠状体と、この枠状体を内部に収容する段ボール製の箱状体とから構成することができる。この場合、前記枠状体と前記箱状体とは、段ボールの波の方向が直交するように構成されている。